(57)【要約】【課題】フィルタの数や大きさに関わらず梱包強度を損なわない梱包材を提供する。【解決手段】少なくとも、第１取付部材１４が第２部材１１に取り付けられた状態における第１取付部材１４と、第２取付部材１５が第２部材１１に取り付けられた状態における第２取付部材１５とは、第１方向における異なる位置でフィルタ１６，１７の一端部に当接する。【選択図】図１２
2015229502.tif 000002
【特許請求の範囲】
【請求項１】
主梱包対象物及び副梱包対象物に取り付けられ、第１部材及び第２部材を有する梱包材であって、
前記第２部材に取付可能な第１取付部材及び第２取付部材を有する取付部材を備え、
前記取付部材のうち前記第１取付部材のみが前記第２部材に取り付けられる第１状態と、
前記取付部材のうち前記第２取付部材のみが前記第２部材に取り付けられる第２状態と、を有し、
前記第１部材及び前記第２部材は、前記主梱包対象物に対して特定の第１方向に並べて取り付けられるとともに、前記副梱包対象物の前記第１方向の両端部は前記第１部材と前記取付部材とに当接して保持され、
少なくとも、前記第１状態における前記第１取付部材と、前記第２状態における前記第２取付部材とは、前記第１方向における異なる位置で前記副梱包対象物の一端部に当接する
ことを特徴とする梱包材。
【請求項２】
前記主梱包対象物は、長尺状のものであり、
前記副梱包対象物は、前記主梱包対象物に対して平行に設けられる矩形平板状のものであり、
前記第１方向は、前記主梱包対象物の長手方向である
ことを特徴とする請求項１に記載の梱包材。
【請求項３】
前記第１部材及び前記第２部材とともに前記第１方向に並べて取り付けられる第３部材をさらに備えた
ことを特徴とする請求項１又は請求項２に記載の梱包材。
【請求項４】
前記第１部材には開口部が設けられるとともに前記開口部には前記第１取付部材が取り外し可能に設けられ、前記第１部材から取り外された前記第１取付部材が前記第２部材に取り付けられて前記第１状態となる
ことを特徴とする請求項１〜請求項３の何れか一項に記載の梱包材。
【請求項５】
前記主梱包対象物及び前記副梱包対象物とともに前記梱包材に同梱される同梱部品は、
前記開口部を介して前記第１部材に収納される
ことを特徴とする請求項４に記載の梱包材。
【請求項６】
前記第１取付部材には嵌合凸部が設けられ、
前記第１部材には、前記嵌合凸部と嵌合する嵌合凹部が設けられている
ことを特徴とする請求項１〜請求項５の何れか一項に記載の梱包材。
【請求項７】
前記主梱包対象物は、空気調和機の外郭を構成するユニットであり、
前記副梱包対象物は、前記空気調和機の内部に設けられるフィルタである
ことを特徴とする請求項１〜請求項６の何れか一項に記載の梱包材。
【発明の詳細な説明】
【技術分野】
【０００１】
本発明は、梱包材に関する。
【背景技術】
【０００２】
従来、発泡スチロール製の梱包材を用いて空気調和機を梱包することが一般的に行われている。ここで、空気調和機には付属部品（例えばフィルタ）が設けられている（例えば、特許文献１参照）。
【０００３】
特許文献１に記載の空気調和装置のフィルタは、メンテナンス時に取り外し容易であるような構造となっている。このため、フィルタが空気調和機のユニットに装着された状態で空気調和機が出荷されると、フィルタは輸送振動や荷役衝撃の影響を受けてユニットから外れて破損することがある。
【０００４】
したがって、フィルタの破損を防止するために、空気調和機のユニットとは別の場所にフィルタを設けた状態で空気調和機を出荷することが考えられる。具体的には例えば、図１８に示されるように、梱包材を構成する第１部材１１０、第２部材１１１、及び第３部材１１２の上面に凹部（第１載置部１１０ｂ、第２載置部１１１ｂ、第３載置部１１２ｂ）を設け、当該凹部にフィルタ１１６，１１７を載置した状態で空気調和機１０１を出荷することが考えられる。なお、第１部材１１０及び第３部材１１２はユニット１０１ａの両側に設けられてユニット１０１ａを保持し、第２部材１１１はユニット１０１ａの中央に設けられてユニット１０１ａを保持している。
【先行技術文献】
【特許文献】
【０００５】
【特許文献１】特開平８−２７０９７８号公報（［００１４］、図１）
【発明の概要】
【発明が解決しようとする課題】
【０００６】
ここで、２枚のフィルタを備えたタイプ（機種）の空気調和機は、２枚のフィルタが梱包材の上面に並べて載置された状態で出荷される。このため、２枚のフィルタを備えた空気調和機が輸送される場合には、１枚のみのフィルタを備えた空気調和機が輸送される場合に比べて、フィルタが輸送振動や荷役衝撃の影響を受けて基準となる位置からずれ易く、フィルタが梱包スチロールから落下し易い。
【０００７】
また、空気調和機の機能上の制約により、異なる形状の２枚のフィルタを備えたタイプの空気調和機においては、２枚のフィルタが梱包材から落下しないように、梱包材のうち中央に設けられる第２部材１１１の位置を変更することが考えられる。具体的には例えば、２つのフィルタのうち相対的に短いフィルタ側に第２部材１１１を移動させることが考えられる。
【０００８】
しかしながら、第２部材１１１を移動させると、第２部材１１１を移動させた側とは反対側に設けられる第１部材１１０又は第３部材１１２と、第２部材１１１と、の間隔が大きくなるため、集中荷重に弱くなって梱包強度に問題が生じる可能性がある。
【０００９】
また、第２部材１１１を移動させると、作業者が、第１部材１１０、第２部材１１１、及び第３部材１１２に被せられる段ボールキャップを押さえる梱包バンドの掛け位置を間違える可能性がある。ここで、空気調和機は重量物であるため、例えば、梱包バンドを３本設ける必要があり、段ボールキャップは梱包バンドによって強固に縛られる。したがって、梱包材が設けられていない箇所に梱包バンドを掛けると、段ボールキャップが潰れてしまう可能性がある。
【００１０】
また、段ボールキャップの内面と、梱包材と、ユニット１０１ａの外面と、に囲まれた空間は、フィルタ以外の付属部品（以下、同梱部品と称する）の大きさに対して過剰に広い。このため、テープ等を用いて、ユニット１０１ａの外面や梱包材に同梱部品を固定している。しかしながら、当該テープが外れると、同梱部品は、輸送振動や荷役衝撃の影響を受けて散乱してしまう可能性がある。
【００１１】
本発明は、上述のような課題を背景としてなされたものであり、フィルタの数や大きさに関わらず梱包強度を損なわない梱包材を提供することを目的とする。
【課題を解決するための手段】
【００１２】
本発明に係る梱包材は、主梱包対象物及び副梱包対象物に取り付けられ、第１部材及び第２部材を有する梱包材であって、前記第２部材に取付可能な第１取付部材及び第２取付部材を有する取付部材を備え、前記取付部材のうち前記第１取付部材のみが前記第２部材に取り付けられる第１状態と、前記取付部材のうち前記第２取付部材のみが前記第２部材に取り付けられる第２状態と、を有し、前記第１部材及び前記第２部材は、前記主梱包対象物に対して特定の第１方向に並べて取り付けられるとともに、前記副梱包対象物の前記第１方向の両端部は前記第１部材と前記取付部材とに当接して保持され、少なくとも、前記第１状態における前記第１取付部材と、前記第２状態における前記第２取付部材とは、前記第１方向における異なる位置で前記副梱包対象物の一端部に当接するものである。
【発明の効果】
【００１３】
本発明によれば、少なくとも、第１状態における第１取付部材と、第２状態における第２取付部材とは、第１方向における異なる位置で副梱包対象物の一端部に当接するものである。このため、フィルタの数や大きさに応じて、取付部材が第２部材に取り付けられる取付位置を調整することができる。したがって、フィルタの数や大きさに関わらず梱包強度を損なわない梱包材を得ることができる。
【図面の簡単な説明】
【００１４】
【図１】本発明の実施の形態１に係る梱包材５０の初期形状を示す斜視図である。
【図２】本発明の実施の形態１に係る梱包材５０の第１部材１０を示す斜視図である。
【図３】図２のＡ部分の部分拡大図である。
【図４】本発明の実施の形態１に係る梱包材５０の第１取付部材１４を示す図である。
【図５】本発明の実施の形態１に係る梱包材５０の第１部材１０の薄肉形状の一例を示す模式断面図である。
【図６】本発明の実施の形態１に係る梱包材５０の第２部材１１を示す斜視図である。
【図７】図６のＢ部分の部分拡大図である。
【図８】本発明の実施の形態１に係る梱包材５０の第３部材１２を示す斜視図である。
【図９】本発明の実施の形態１に係る梱包材５０の第１取付部材１４が第１部材１０から取り外された状態を示す斜視図である。
【図１０】本発明の実施の形態１に係る梱包材５０の第１取付部材１４が第２部材１１に取り付けられた状態を示す斜視図である。
【図１１】図１０のＸ−Ｘ断面図の一例を示す模式断面図である。
【図１２】本発明の実施の形態１に係る梱包材５０にフィルタ１６，１７を設けた状態を示す斜視図である。
【図１３】本発明の実施の形態１に係る梱包材５０に被せられた段ボールキャップ３８に梱包バンド３９を巻き付けた状態を示す斜視図である。
【図１４】本発明の実施の形態２に係る梱包材５０にフィルタ２１を設けた状態を示す斜視図である。
【図１５】本発明の実施の形態３に係る梱包材５０にフィルタ２２を設けた状態を示す斜視図である。
【図１６】本発明の実施の形態４に係る梱包材５０のフィルタ２３を示す図である。
【図１７】本発明の実施の形態４に係る梱包材５０にフィルタ２３を設けた状態を示す斜視図である。
【図１８】従来の第１部材１１０、第２部材１１１、及び第３部材１１２にフィルタ１１６，１１７を設けた状態を示す斜視図である。
【発明を実施するための形態】
【００１５】
以下、本発明の梱包材５０について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１６】
実施の形態１．
本実施の形態１は、異なる大きさの２枚のフィルタ１６，１７（図１２）を有する空気調和機１を梱包材５０を用いて梱包する例について説明する。図１は本発明の実施の形態１に係る梱包材５０の初期形状を示す斜視図である。
【００１７】
図１に示されるように、梱包材５０は、梱包対象物である製品（例えば空気調和機の室内機）を固定するものであり、第１部材１０と、第２部材１１と、第３部材１２と、を備える。第１部材１０、第２部材１１、及び第３部材１２は、例えば一体化した状態で製造される。以後、第１部材１０、第２部材１１、及び第３部材１２を梱包材５０と総称することがある。梱包材５０は、例えば発泡スチロールで構成される。
【００１８】
第１部材１０は、製品の左端を固定するものであり、底部１０Ａ及び立ち上がり部１０Ｂを有する凹形状の部材である。立ち上がり部１０Ｂは、底部１０Ａの長手方向の両端から立ち上がる部位である。
【００１９】
第２部材１１は、製品の中央を固定するものであり、底部１１Ａ及び立ち上がり部１１Ｂを有する凹形状の部材である。立ち上がり部１１Ｂは、底部１１Ａの長手方向の両端から立ち上がる部位である。
【００２０】
第３部材１２は、製品の右端を固定するものであり、底部１２Ａ及び立ち上がり部１２Ｂを有する凹形状の部材である。立ち上がり部１２Ｂは、底部１２Ａの長手方向の両端から立ち上がる部位である。
【００２１】
以後、製品が第１部材１０、第２部材１１、及び第３部材１２によって梱包されたとき、底部１０Ａのうち製品と対向する面を底部１０Ａの内面と称することがある。また、上述した底部１０Ａの内面とは反対側の面を底部１０Ａの外面と称することがある。
【００２２】
図２は、本発明の実施の形態１に係る梱包材５０の第１部材１０を示す斜視図である。
図３は、図２のＡ部分の部分拡大図である。図２，図３に示されるように、第１部材１０には、第１開口部１０ａ、第１取付部材１４、及び第１載置部１０ｂが設けられる。
【００２３】
第１開口部１０ａは、第１取付部材１４が設けられる開口である。第１取付部材１４は、第１部材１０から取り外し可能になっている部材であり、例えば発泡スチロールで構成される。第１部材１０及び第１取付部材１４を各々製造すると、材料費や加工費、金型費が新たに発生してしまうため、第１取付部材１４は、第１部材１０の遊休部を利用して形成される。
【００２４】
図３に示されるように、第１取付部材１４は、複数の接続部１０ｃを介して第１部材１０に取り付けられている。接続部１０ｃは、例えば、第１部材１０と第１取付部材１４との間に設けられ、第１開口部１０ａの内壁面から凸設され、例えば４か所で第１部材１０と第１取付部材１４とを接続している。
【００２５】
第１載置部１０ｂは、フィルタが載置される面であり、例えば凹形状となっている。第１載置部１０ｂは、第１部材１０、第２部材１１、及び第３部材１２が組み合わされた状態で、第１取付部材１４よりも第２部材１１側に位置している。
【００２６】
図４は、本発明の実施の形態１に係る梱包材５０の第１取付部材１４を示す図である。
図５は、本発明の実施の形態１に係る梱包材５０の第１部材１０の薄肉形状の一例を示す模式断面図である。
【００２７】
図４に示されるように、第１取付部材１４は、支持部１４ａと、土手部１４ｂと、を備える。支持部１４ａ及び土手部１４ｂは、例えば、第１部材１０の底部１０Ａの長手方向と同一方向に延びるように設けられ、例えば一体として形成されている。なお、第１取付部材１４の具体的な形状は図示のものに限定されず、第１開口部１０ａを閉塞又は一部開放するように第１部材１０に取り付け可能となっていればよい。また、第１取付部材１４は、第１部材１０と一体成型されるため、第１取付部材１４を製造するための材料費、加工費、金型費が不要である。
【００２８】
支持部１４ａには、平坦部１４ａ１及び規制部１４ａ２が設けられる。平坦部１４ａ１は、フィルタが載置される面であり、例えば平坦な形状を有する。規制部１４ａ２は、平坦部１４ａ１の長手方向両側から立ち上がる部位である。規制部１４ａ２は、平坦部１４ａ１に載置されるフィルタが支持部１４ａの長手方向へ移動することを規制する。
【００２９】
土手部１４ｂには、規制部１４ｂ１及び嵌合凸部１４ｂ２が設けられる。規制部１４ｂ１は、平坦部１４ａ１に載置されるフィルタが土手部１４ｂの短手方向へ移動することを規制する。嵌合凸部１４ｂ２は、規制部１４ｂ１の長手方向両側よりも内側において規制部１４ａ２の立ち上がり方向とは反対方向に立ち上がる部位である。嵌合凸部１４ｂ２は、嵌合凹部１１ｄ（後述する）に挿入される。
【００３０】
なお、以上の説明においては、第１取付部材１４が、複数の接続部１０ｃを介して第１部材１０に取り付けられる例について説明したが、これに限定されない。例えば、図５のように、具体的には、接続部１０ｃの縦断面形状が、接続部１０ｃの中央に向かうにつれて薄肉形状となるように接続部１０ｃが構成されていてもよい。
【００３１】
図６は、本発明の実施の形態１に係る梱包材５０の第２部材１１を示す斜視図である。
図７は、図６のＢ部分の部分拡大図である。図６，図７に示されるように、第２部材１１には、第２開口部１１ａ、第２取付部材１５、第２載置部１１ｂ、及び嵌合凹部１１ｄが設けられている。
【００３２】
第２開口部１１ａは、第２取付部材１５が設けられる開口である。第２取付部材１５は、第２部材１１から取り外し可能になっている部材であり、例えば発泡スチロールで構成される。第２取付部材１５は、フィルタの大きさに柔軟に対応するために設けられる。第２取付部材１５は、例えば、底部１１Ａの短手方向の中央に位置している。
【００３３】
図７に示されるように、第２取付部材１５は、複数の接続部１１ｃを介して第２部材１１に取り付けられている。接続部１１ｃは、例えば、第２部材１１と第２取付部材１５との間に設けられ、第２開口部１１ａの内壁面から凸設され、例えば４か所で第２部材１１と第２取付部材１５とを接続する。
【００３４】
第２載置部１１ｂは、フィルタが載置される面であり、例えば凹形状となっている。第２載置部１１ｂは、第１部材１０、第２部材１１、及び第３部材１２が組み合わされた状態で、第２取付部材１５よりも底部１１Ａ上において第１部材１０側及び第２取付部材１５よりも第３部材１２側に設けられている。
【００３５】
嵌合凹部１１ｄは、嵌合凸部１４ｂ２と嵌合する部位であり、例えば、第２部材１１の底部１１Ａの外面に２箇所設けられる。なお、嵌合凹部１１ｄは、第２部材１１の底部１１Ａの外面から内面に向かって窪む凹形状となっていてもよいし、第２部材１１の底部１１Ａの内面及び外面を貫通するように開口する形状となっていてもよい。
【００３６】
図８は、本発明の実施の形態１に係る梱包材５０の第３部材１２を示す斜視図である。
図８に示されるように、第３部材１２には第３載置部１２ｂが設けられている。第３載置部１２ｂは、フィルタが載置される面であり、例えば凹形状となっている。
【００３７】
図９は、本発明の実施の形態１に係る梱包材５０の第１取付部材１４が第１部材１０から取り外された状態を示す斜視図である。
図１０は、本発明の実施の形態１に係る梱包材５０の第１取付部材１４が第２部材１１に取り付けられた状態を示す斜視図である。
図１１は、図１０のＸ−Ｘ断面図の一例を示す模式断面図である。
【００３８】
以下に、空気調和機１の梱包作業の手順について説明する。
まず、接続部１０ｃを切断して、第１部材１０と第１取付部材１４とを分離することで、図９に示されるように、第１取付部材１４は第１部材１０から取り外される。ここで、図９の矢印方向は、第１取付部材１４の取り出し方向の例を示している。次に、第１取付部材１４の嵌合凸部１４ｂ２が第２部材１１の嵌合凹部１１ｄに嵌るように、第１取付部材１４が第２部材１１に取り付けられる。このとき、接続部１１ｃを切断して第２部材１１と第２取付部材１５とを分離することで、第２取付部材１５が第２部材１１から取り外される。このように、第１取付部材１４が第２部材１１に取り付けられ、第２取付部材１５が第２部材１１から取り外されることで、図１０に示されるような状態となる。このとき、第１取付部材１４の支持部１４ａは、第２部材１１の底部１１Ａの外面から第１部材１０方向に外方に突出している。
【００３９】
なお、図１１に示されるように、嵌合凸部１４ｂ２は、鈎形状の鈎部１４ｂ２１を有していてもよい。このようにして、第１取付部材１４が第２部材１１に一層強固に取り付けられる。特に、段ボールキャップ３８（後述する）等が第１取付部材１４及び第２部材１１を押さえ込まないような場合に、嵌合凸部１４ｂ２が鈎部１４ｂ２１を有するように構成すると一層良い。
【００４０】
図１２は、本発明の実施の形態１に係る梱包材５０にフィルタ１６，１７を設けた状態を示す斜視図である。図１３は、本発明の実施の形態１に係る梱包材５０に被せられた段ボールキャップ３８に梱包バンド３９を巻き付けた状態を示す斜視図である。以下に、異なる形状のフィルタ１６，１７を有する空気調和機１を梱包する場合における各種部材の構造等について説明する。
【００４１】
図１２に示されるように、梱包材５０がユニット１ａに取り付けられた状態で、ユニット１ａが段ボール底部３７に設けられている。このとき、第１取付部材１４は第１部材１０から取り外されて第２部材１１に取り付けられ、第２取付部材１５は第２部材１１から取り外されている。また、第１載置部１０ｂ及び第２載置部１１ｂにはフィルタ１６が設けられ、第２載置部１１ｂ及び第３載置部１２ｂにはフィルタ１７が設けられている。図１２に示される状態で、フィルタ１６，１７は、ユニット１ａに対して平行に設けられている。
【００４２】
空気調和機１は、ユニット１ａと、フィルタ１６，１７と、を備える。ユニット１ａは、空気調和機１の外郭を構成する長尺状の部材であり、例えば六面体（直方体）の形状のものである。２枚のフィルタ１６は、空気調和機１を運転してユニット１ａの内部に流入する空気に含まれる塵埃を回収するためのものであり、例えば矩形平板状で且つ格子状に形成されている。フィルタ１６の長手方向の長さは、例えば、フィルタ１７の長手方向の長さよりも短くなっている。フィルタ１６の短手方向の長さは、例えば、フィルタ１７の短手方向の長さと同一となっている。段ボール底部３７は、例えば、一面が開口した有底箱形状の部材であり、矩形状の底面の周囲から立ち上がる立ち上がり部３７ａを有する。
【００４３】
ここで、図１２に示される状態においては、第１取付部材１４は第１部材１０から取り外されているため、第１開口部１０ａを利用して第１部材１０の内部に同梱部品１８を収納することができる。同梱部品１８は、例えば空気調和機１を構成する部品の一部であって、ユニット１ａ及びフィルタ１６，１７とともに梱包材５０に同梱される部品を指している。また、同梱部品１８が第１開口部１０ａを介して第１部材１０の内部に収納されることで、同梱部品１８は位置決めされる。このため、テープ等の部品を用いることなく同梱部品１８の動きを規制することができる。したがって、部品点数及びコストを低減することができる。
【００４４】
また、図１２に示される状態においては、フィルタ１６は、第１載置部１０ｂ及び第２載置部１１ｂに載置されることで、第１部材１０及び第１取付部材１４によって位置決めされ、フィルタ１７は、第２載置部１１ｂ及び第３載置部１２ｂに載置されることで、第３部材１２及び第１取付部材１４によって位置決めされる。第１取付部材１４の規制部１４ａ２（図４）は、フィルタ１６の短手方向の移動を規制する。第１取付部材１４の規制部１４ｂ１（図４）は、フィルタ１６，１７の長手方向の移動を規制する。このとき、第１取付部材１４はフィルタ１６の一端部（フィルタ１６の短手方向に延びる端部のうち第２部材１１側に位置する端部）に当接している。
【００４５】
なお、図１２に示されるように、第１部材１０、第２部材１１、及び第３部材１２は、図中の矢印方向に向かって順に設けられており、図中の矢印方向を以後「第１方向」と称することがある。このとき、段ボール底部３７の長手方向の中央に第２部材１１を設けることが望ましい。これにより、製品（空気調和機１）の梱包強度を高めることができる。
【００４６】
図１２に示される状態で、梱包材５０及び段ボール底部３７を覆うように段ボールキャップ３８を被せ、段ボール底部３７及び段ボールキャップ３８の外面に梱包バンド３９を巻き付けることで、図１３に示されるような状態となる。
【００４７】
図１３に示されるように、段ボールキャップ３８は、例えば一面が開口した有底箱形状の部材であり、矩形状の底面の周囲から立ち上がる立ち上がり部３８ａを有する。このように段ボールキャップ３８を設けることで、第１取付部材１４が押さえ込まれて移動しないため、第１取付部材１４を固定するためのテープ等が不要となる。
【００４８】
梱包バンド３９は、段ボール底部３７及び段ボールキャップ３８の外面に巻き付けられる部材であり、例えば複数設けられる。梱包バンド３９は、例えば、第１部材１０、第２部材１１、及び第３部材１２が設けられている場所にそれぞれ対応して設けられる。すなわち、梱包バンド３９は、例えば３つ設けられる。このように梱包バンド３９を用いることで、第１取付部材１４が押さえ込まれ、第１取付部材１４の移動が規制される。このため、テープ等による固定が不要であり、高い梱包強度を得ることができる。なお、梱包バンド３９を設ける具体的な個数は、３つに限定されるものではなく、例えば梱包バンド３９を４つ以上用いてもよい。
【００４９】
以上のように、本実施の形態１に係る梱包材５０によれば、少なくとも、第１取付部材１４が第２部材１１に取り付けられた状態における第１取付部材１４と、第２取付部材１５が第２部材１１に取り付けられた状態における第２取付部材１５とは、第１方向における異なる位置でフィルタ１６，１７の一端部に当接する。
このため、フィルタ１６，１７の数や大きさに応じて、第１取付部材１４及び第２取付部材１５が第２部材１１に取り付けられる取付位置を調整することができる。したがって、フィルタ１６，１７の数や大きさに関わらず梱包強度を損なわない梱包材５０を得ることができる。また、フィルタ１６，１７の動きが規制されるため、フィルタ１６，１７が輸送振動や荷役衝撃の影響を受けて、第１載置部１０ｂ、第２載置部１１ｂ、及び第３載置部１２ｂから落下することがなくなる。
【００５０】
また、接続部１１ｃ及び第２取付部材１５は、第１取付部材１４と同様に、第１部材１０、第２部材１１、第３部材１２のコア／キャビティ型のみで成型できる形状としているため、特別なスライド型等を追加する必要がない。
【００５１】
また、梱包材５０を一体成型することで、輸送効率及び保管効率が向上し、金型費を低減することができる。また、第１部材１０、第２部材１１、及び第３部材１２の境界は、小さな面積の部材で接続されている。このため、工具を使用することなく３分割できる構造となる。
【００５２】
また、複数の接続部１０ｃと第１取付部材１４は、第１部材１０、第２部材１１、第３部材１２のコア／キャビティ型のみで成型できる形状である。このため、特別なスライド型等を追加する必要がない。
【００５３】
なお、第１取付部材１４の嵌合凸部１４ｂ２と第２部材１１の嵌合凹部１１ｄとの嵌合は、段ボールキャップ３８等による押さえ込みがある場合には、すきまばめにして取付性を良くするとよい。また、スチロールの弾力性を利用してしまりばめにすると、第１取付部材１４を強く固定することが可能であり、段ボールキャップ３８等の押さえ込みによる固定がない場合に有効である。ここで、すきまばめとは、嵌合凹部１１ｄの最小許容寸法よりも嵌合凸部１４ｂ２の最大許容寸法が小さい場合の嵌め合いを指す。また、しまりばめとは、嵌合凹部１１ｄの最大許容寸法よりも嵌合凸部１４ｂ２の最小許容寸法が大きい場合の嵌め合いを指す。
【００５４】
また、接続部１０ｃの材質が発泡スチロールである場合には、第１取付部材１４をたたき抜いて、第１部材１０から第１取付部材１４を取り出してもよい。また、接続部１１ｃの材質が発泡スチロールである場合には、第２取付部材１５をたたき抜いて、第２部材１１から第２取付部材１５を取り出してもよい。
【００５５】
実施の形態２．
本実施の形態２は、実施の形態１とは異なり、同一の大きさの２枚のフィルタ２１を設けたものである。なお、本実施の形態２において、特に記述しない項目については実施の形態１と同様とし、同一の機能や構成については同一の符号を用いて述べることとする。
【００５６】
図１４は本発明の実施の形態２に係る梱包材５０にフィルタ２１を設けた状態を示す斜視図である。以下に、フィルタ２１が用いられる空気調和機１を梱包する場合における各種部材の構造等について説明する。
【００５７】
図１４に示されるように、梱包材５０がユニット１ａに取り付けられた状態で、ユニット１ａが段ボール底部３７に設けられている。このとき、第１取付部材１４は第１部材１０から取り外され、第２取付部材１５は第２部材１１に取り付けられた状態にある。また、第１載置部１０ｂ及び第２載置部１１ｂにはフィルタ２１が設けられ、第２載置部１１ｂ及び第３載置部１２ｂにはフィルタ２１が設けられている。図１４に示される状態で、フィルタ２１は、ユニット１ａに対して平行に設けられている。なお、第１取付部材１４が第１部材１０から取り外されるのは、第１開口部１０ａを利用して第１部材１０の内部に同梱部品１８を収納するためである。
【００５８】
ここで、本実施の形態２においては、実施の形態１とは異なり、同一形状の２つのフィルタ２１を用いている。このため、本実施の形態２においては、実施の形態１とは異なり、第１部材１０から取り外された第１取付部材１４が第２部材１１に取り付けられず、第２部材１１に取り付けられた第２部材１１が第２取付部材１５から取り外されない。すなわち、本実施の形態２においては、２枚のフィルタ２１が第２取付部材１５によって位置決めされる。すなわち、第２取付部材１５は、フィルタ２１の長手方向の移動を規制する。このとき、第２取付部材１５はフィルタ２１の一端部（フィルタ２１の短手方向に延びる端部のうち第２部材１１側に位置する端部）に当接している。
【００５９】
以上のように、本実施の形態２に係る梱包材５０は、同一形状の２枚のフィルタ２１を有する空気調和機１を梱包するとき、第２取付部材１５を用いて２枚のフィルタ２１の位置決めをしている。このため、第２取付部材１５が２枚のフィルタ２１を支えることができる。
【００６０】
実施の形態３．
本実施の形態３は、実施の形態１とは異なり、１枚のフィルタ２２を設けたものである。なお、本実施の形態３において、特に記述しない項目については実施の形態１と同様とし、同一の機能や構成については同一の符号を用いて述べることとする。
【００６１】
図１５は、本発明の実施の形態３に係る梱包材５０にフィルタ２２を設けた状態を示す斜視図である。以下に、フィルタ２２が用いられる空気調和機１を梱包する場合における各種部材の構造等について説明する。
【００６２】
図１５に示されるように、梱包材５０がユニット１ａに取り付けられた状態で、ユニット１ａが段ボール底部３７に設けられている。このとき、第１取付部材１４は第１部材１０から取り外され、第２取付部材１５は第２部材１１から取り外されている。また、第１載置部１０ｂ、第２載置部１１ｂ、及び第３載置部１２ｂにはフィルタ２２が設けられている。なお、第１取付部材１４が第１部材１０から取り外されるのは、第１開口部１０ａを利用して第１部材１０の内部に同梱部品１８を収納するためである。
【００６３】
以上のように、本実施の形態３に係る梱包材５０は、１枚のフィルタ２２を有する空気調和機１を梱包するとき、第２取付部材１５を第２部材１１から取り外してフィルタ２２を梱包材５０に設けている。このため、１枚のフィルタを用いた機種（空気調和機１）にも対応することができる。
【００６４】
実施の形態４．
本実施の形態４は、実施の形態１とは異なり、１枚のフィルタ２３を設け、第３部材１２に第３取付部材２４を設けるようにしたものである。なお、本実施の形態４において、特に記述しない項目については実施の形態１と同様とし、同一の機能や構成については同一の符号を用いて述べることとする。
【００６５】
図１６は、本発明の実施の形態４に係る梱包材５０のフィルタ２３を示す図である。
図１６に示されるように、フィルタ２３は、例えば格子状に形成されており、ユニット１ａの長手方向（図１６の紙面横方向）にスライドさせて装着される。フィルタ２３の連結部２３ａは、折り曲げたり取り外すことができる。このため、通風方向には強固な位置決めがなく、フィルタ２３を梱包材５０に載置した場合には、連結部２３ａよりも外側を下から支えなければ、たわんでしまう。フィルタ２３は、ユニット１ａの短手方向（図１６の紙面縦方向）にスライドさせて装着するフィルタ１６，１７と比較して、着脱の際にユニット１ａの長手方向のスペースを大きく確保する必要がある。このため、複数のフィルタを連結させ、連結部２３ａを取り外す又は連結部２３ａを折り曲げることで、メンテナンスに必要なスペースを少なくしている。
【００６６】
図１７は、本発明の実施の形態４に係る梱包材５０にフィルタ２３を設けた状態を示す斜視図である。以下に、フィルタ２３が用いられる空気調和機１を梱包する場合における各種部材の構造等について説明する。
【００６７】
図１７に示されるように、梱包材５０がユニット１ａに取り付けられた状態で、ユニット１ａが段ボール底部３７に設けられている。第３部材１２は、第１部材１０と同一形状であり、第３取付部材２４を備えている。このとき、第１取付部材１４は第１部材１０から取り外されて第２部材１１に取り付けられ、第２取付部材１５は第２部材１１から取り外され、第３取付部材２４は第３部材１２から取り外されて第２部材１１に取り付けられている。第１載置部１０ｂ、第２載置部１１ｂ、及び第３載置部１２ｂにはフィルタ２３が設けられている。
【００６８】
第３取付部材２４の形状は、例えば第１取付部材１４の形状と同一となっている。また、第３部材１２には第３開口部１２ａが設けられている。第３開口部１２ａは、第３部材１２の内部に同梱部品１８を収納するために用いられる開口である。また、第３取付部材２４は、第３部材１２の遊休部に設けられる。なお、第３取付部材２４の具体的な形状は図示のものに限定されず、第３開口部１２ａを閉塞又は一部開放するように第３部材１２に取付可能となっていればよい。
【００６９】
以上のように、本実施の形態４に係る梱包材５０は、１枚のフィルタ２３を有する空気調和機１を梱包するとき、第１部材１０に設けられる第１取付部材１４及び第３部材１２に設けられる第３取付部材２４を第２部材１１に取り付けている。このため、第１取付部材１４及び第３取付部材２４が、連結部２３ａを有するフィルタ２３を支えることができる。
【００７０】
また、第１部材１０に第１開口部１０ａが設けられ、第３部材１２に第３開口部１２ａが設けられている。このため、第１開口部１０ａ及び第３開口部１２ａを用いて、第１部材１０及び第３部材１２の内部に同梱部品１８を収納することができる。したがって、同梱部品１８を収納するスペースを一層確保することができる。
【００７１】
なお、空気調和機１の長手方向の長さが、図示のものよりも短い等の場合には、空気調和機１の長手方向の両端に第１部材１０及び第２部材１１を設け、第３部材１２を設けないようにしてもよい。このように構成しても、第１部材１０と、第２部材１１に設けられる第２取付部材１５と、を用いて、空気調和機１やフィルタを固定することができる。
【００７２】
また、空気調和機１の長手方向の長さが、図示のものよりも長い等の場合には、第１部材１０、第２部材１１、及び第３部材１２に加え、例えば、第２部材１１と同一形状の部材を追加してもよい。これにより、空気調和機１やフィルタの大きさが大きくなっても、空気調和機１を強固に固定することができる。
【００７３】
また、第２部材１１の底部１１Ａの外面の複数箇所に、第１取付部材１４を取り付けることができるような構造とし、第１取付部材１４が第２部材１１の底部１１Ａに取り付けられる位置をフィルタの大きさに応じて変更するようにしてもよい。このようにしても、実施の形態と同様の効果を奏することができ、第２取付部材１５を製造するコストを低減できる。
【００７４】
なお、ユニット１ａが、本発明における「主梱包対象物」に相当する。また、フィルタ１６，１７，２１，２２，２３が、本発明における「副梱包対象物」に相当する。また、第１取付部材１４が第２部材１１に取り付けられた状態（例えば図１２に示される状態）が、本発明における「第１状態」に相当する。また、第２取付部材１５が第２部材１１に取り付けられる状態（例えば図１４に示される状態）が、本発明における「第２状態」に相当する。また、第１開口部１０ａ，第３開口部１２ａが本発明における「開口部」に相当する。第１取付部材１４、第２取付部材１５、及び第３取付部材２４が、本発明における「取付部材」に相当する。
【符号の説明】
【００７５】
１  空気調和機、１ａ  ユニット、１０  第１部材、１０Ａ  底部、１０Ｂ  立ち上がり部、１０ａ  第１開口部、１０ｂ  第１載置部、１０ｃ  接続部、１１  第２部材、１１Ａ  底部、１１Ｂ  立ち上がり部、１１ａ  第２開口部、１１ｂ  第２載置部、１１ｃ  接続部、１１ｄ  嵌合凹部、１２  第３部材、１２Ａ  底部、１２Ｂ  立ち上がり部、１２ａ  第３開口部、１２ｂ  第３載置部、１４  第１取付部材、１４ａ  支持部、１４ａ１  平坦部、１４ａ２  規制部、１４ｂ  土手部、１４ｂ１  規制部、１４ｂ２  嵌合凸部、１４ｂ２１  鈎部、１５  第２取付部材、１６  フィルタ、１７  フィルタ、１８  同梱部品、２１  フィルタ、２２  フィルタ、２３  フィルタ、２３ａ  連結部、２４  第３取付部材、３７  段ボール底部、３７ａ  立ち上がり部、３８  段ボールキャップ、３８ａ  立ち上がり部、３９  梱包バンド、５０  梱包材、１０１  空気調和機、１０１ａ  ユニット、１１０  第１部材、１１０ｂ  第１載置部、１１１  第２部材、１１１ｂ  第２載置部、１１２  第３部材、１１２ｂ  第３載置部、１１６  フィルタ、１１７  フィルタ。
【図１】
2015229502.tif 000003
【図２】
2015229502.tif 000004
【図３】
2015229502.tif 000005
【図４】
2015229502.tif 000006
【図５】
2015229502.tif 000007
【図６】
2015229502.tif 000008
【図７】
2015229502.tif 000009
【図８】
2015229502.tif 000010
【図９】
2015229502.tif 000011
【図１０】
2015229502.tif 000012
【図１１】
2015229502.tif 000013
【図１２】
2015229502.tif 000014
【図１３】
2015229502.tif 000015
【図１４】
2015229502.tif 000016
【図１５】
2015229502.tif 000017
【図１６】
2015229502.tif 000018
【図１７】
2015229502.tif 000019
【図１８】
2015229502.tif 000020